(57)【要約】【課題】  内容物の繰り出し容器と、繰り出し容器を覆うケースとからなる化粧品用容器において、簡単、かつ、わかりやすく、ケースから繰り出し容器の外周後方を突出させ、該突出部をつまんで引張り、繰り出し容器を外すようにした化粧品用容器を提供すること。【解決手段】  内容物の繰り出し容器と、繰り出し容器の開口および側周を覆うケースとからなる化粧品用容器において、ケースは、繰り出し容器の外周を覆う筒壁を具えた外ケース部材と、外ケース部材内に上下動可能に装着される押出部材と、外ケース部材内に固定される内固定部材と、内固定部材に上下動および廻動可能に装着されるとともに、繰り出し容器を保持する内ケース部材と、内固定部材に装着される内装着部材と、内固定部材と内ケース部材との間に弾装されるばねとからなり、押出部材を押して、ケースから繰り出し容器の外周後方を突出させることを特徴とする。【選択図】  図１
2010172594.tif 000002
【特許請求の範囲】
【請求項１】
内容物の繰り出し容器と、繰り出し容器の開口および側周を覆うケースとからなる化粧品用容器において、
ケースは、繰り出し容器の外周を覆う筒壁を具えた外ケース部材と、外ケース部材内に上下動可能に装着される押出部材と、外ケース部材内に固定される内固定部材と、内固定部材に上下動および廻動可能に装着されるとともに、繰り出し容器を保持する内ケース部材と、内固定部材に装着される内装着部材と、内固定部材と内ケース部材との間に弾装されるばねとからなり、
押出部材は、頂壁と、頂壁の外縁に垂設される筒壁と、頂壁下面に垂設される係合内筒とからなり、
内固定部材は、外ケース部材の筒壁の内周上部に係合するリング状の基部を具え、該基部の内周には、上端より凹設される縦溝が配設され、
内ケース部材は、頂壁と、繰り出し容器を脱着自在に保持する保持筒と、頂壁の上面に立設され、外周が内固定部材の基部の内周に挿入される係合筒を具え、該係合筒には、外周上部に、内固定部材の縦溝内を可動する係合突部が配設され、上端に、押出部材の係合内筒に係合する突部が配設され、
内装着部材は、リング状の基部を具え、該基部の内周には、内固定部材の縦溝に連なる横溝が配設され、
押出部材を押して、ケースから繰り出し容器の外周後方を突出させることを特徴とする化粧品用容器。
【請求項２】
押出部材の係合内筒の外周下部に、傾斜面を形成するカム部が配設され、
内ケース部材の突部に、上記傾斜面と係合する傾斜面を形成したことを特徴とする請求項１記載の化粧品用容器
【請求項３】
内装着部材の横溝が、内固定部材の基部の縦溝の一端から上方に延びる側面と、側面の上端から横斜め方向に上昇する傾斜面と、傾斜面の上端から横方向にほぼ内ケース部材の係合突部の径だけ延びる上面と、上面の端部から下方に延びる側面とを形成して凹設されていることを特徴とする請求項１または２記載の化粧品用容器。
【請求項４】
押出部材の筒壁の下端に回転防止板が配設され、
内固定部材の基部に上端から凹設され、押出部材の回転防止板を挿入する回転防止受部が配設されていることを特徴とする請求項１〜３のいずれかに記載の化粧品用容器。
【発明の詳細な説明】
【技術分野】
【０００１】
本発明は、化粧品用容器、とくに、棒状の内容物の繰り出し容器と、繰り出し容器の開口および側周を覆うケースとからなる化粧品用容器に関するものである。
【背景技術】
【０００２】
棒状の内容物の繰り出し容器と、繰り出し容器の開口および側周を覆うケースとからなる化粧品用容器において、使用者の意に反して繰り出し容器がケースから外れることがないようにした化粧品用容器は、従来より知られている（例えば、特許文献１参照）。
【先行技術文献】
【特許文献】
【０００３】
【特許文献１】特表２００８−５３９９２１号公報
【発明の概要】
【発明が解決しようとする課題】
【０００４】
しかしながら、上記特許文献１記載の化粧品用容器では、ケースから繰り出し容器を外す際に、一度、繰り出し容器をケースに対して後方より押し込むことにより、ケースから繰り出し容器の外周後方を突出させ、該突出部をつまんで引張り、繰り出し容器を外すようにしているので、繰り出し容器を押し込むという操作が、なれないとわかりにくいという問題があった。
【０００５】
また、繰り出し容器をケースに収納している時に、ほぼ繰り出し容器の底壁がケースの外壁の開口内に入ってしまうので、デザイン上、どちらが繰り出し容器の底壁かわからず、間違えてケースの頂壁を押してしまうということもあった。
【０００６】
本発明は、上記問題を解決することを課題とし、棒状の内容物の繰り出し容器と、繰り出し容器の開口および側周を覆うケースとからなる化粧品用容器において、簡単、かつ、わかりやすく、ケースから繰り出し容器の外周後方を突出させ、該突出部をつまんで引張り、繰り出し容器を外すようにした化粧品用容器を提供することを目的とする。
【課題を解決するための手段】
【０００７】
本発明は、上記の課題を解決するため、化粧品用容器として、内容物の繰り出し容器と、繰り出し容器の開口および側周を覆うケースとからなる化粧品用容器において、ケースは、繰り出し容器の外周を覆う筒壁を具えた外ケース部材と、外ケース部材内に上下動可能に装着される押出部材と、外ケース部材内に固定される内固定部材と、内固定部材に上下動および廻動可能に装着されるとともに、繰り出し容器を保持する内ケース部材と、内固定部材に装着される内装着部材と、内固定部材と内ケース部材との間に弾装されるばねとからなり、押出部材は、頂壁と、頂壁の外縁に垂設される筒壁と、頂壁下面に垂設される係合内筒とからなり、内固定部材は、外ケース部材の筒壁の内周上部に係合するリング状の基部を具え、該基部の内周には、上端より凹設される縦溝が配設され、内ケース部材は、頂壁と、繰り出し容器を脱着自在に保持する保持筒と、頂壁の上面に立設され、外周が内固定部材の基部の内周に挿入される係合筒を具え、該係合筒には、外周上部に、内固定部材の縦溝内を可動する係合突部が配設され、上端に、押出部材の係合内筒に係合する突部が配設され、内装着部材は、リング状の基部を具え、該基部の内周には、内固定部材の縦溝に連なる横溝が配設され、押出部材を押して、ケースから繰り出し容器の外周後方を突出させることを特徴とする構成を採用する。
【０００８】
押出部材と内ケース部材の実施例として、押出部材の係合内筒の外周下部に、傾斜面を形成するカム部が配設され、内ケース部材の突部に、上記傾斜面と係合する傾斜面を形成したことを特徴とする構成を採用する。
【０００９】
内装着部材の実施例として、内装着部材の横溝が、内固定部材の基部の縦溝の一端から上方に延びる側面と、側面の上端から横斜め方向に上昇する傾斜面と、傾斜面の上端から横方向にほぼ内ケース部材の係合突部の径だけ延びる上面と、上面の端部から下方に延びる側面とを形成して凹設されていることを特徴とする構成を採用する。
【００１０】
押出部材と内固定部材の実施例として、押出部材の筒壁の下端に回転防止板が配設され、内固定部材の基部に上端から凹設され、押出部材の回転防止板を挿入する回転防止受部が配設されていることを特徴とする構成を採用する。
【発明の効果】
【００１１】
内容物の繰り出し容器と、繰り出し容器を覆うケースとからなる化粧品用容器において、ケースは、繰り出し容器の外周を覆う筒壁を具えた外ケース部材と、外ケース部材内に上下動可能に装着される押出部材と、外ケース部材内に固定される内固定部材と、内固定部材に上下動および廻動可能に装着されるとともに、繰り出し容器を保持する内ケース部材と、内固定部材に装着される内装着部材と、内固定部材と内ケース部材との間に弾装されるばねとからなり、押出部材を押圧することによって、簡単、かつ、わかりやすく、ケースから繰り出し容器の後方を突出させ、該突出部をつまんで引張り、繰り出し容器を外すことができる。
【図面の簡単な説明】
【００１２】
【図１】本発明の化粧品用容器の断面側面図である。
【図２】ケースの断面説明図である。
【図３】押出部材の説明図で、（ａ）は一部断面側面図、（ｂ）は下面図である。
【図４】内固定部材の説明図で、（ａ）は上面図、（ｂ）は一部断面側面図である。
【図５】内ケース部材の説明図で、（ａ）は上面図、（ｂ）は一部断面側面図である。
【図６】要部の説明図で、（ａ）は繰り出し容器をケースに収納した時、（ｂ）は押出部材押し込み時、（ｃ）は内ケース部材下降時である。
【図７】内ケ−ス部材の下降時の化粧品用容器の断面側面図である。
【図８】要部の説明図で、（ａ）は繰り出し容器押し込み時、（ｂ）は内ケース部材廻動時である。
【発明を実施するための形態】
【００１３】
次に、本発明の化粧品用容器について、図面を参照して説明する。
図１において、Ａは棒状の口紅などの内容物を収納して繰り出す繰り出し容器、Ｂは繰り出し容器Ａの開口および側周を覆うケースである。
【００１４】
繰り出し容器Ａは、保持筒１と回転基部２とからなり、従来のように、保持筒１に対して回転基部２を回転させることにより、保持筒１の開口より内容物を繰り出す容器である。
【００１５】
ケースＢは、図１、２に示すように、外ケース部材Ｂ１と、外ケース部材Ｂ１内に上下動可能に装着される押出部材Ｂ２と、外ケース部材Ｂ１内に装着される内固定部材Ｂ３と、内固定部材Ｂ３に上下動および廻動可能に装着されるとともに、繰り出し容器Ａを保持する内ケース部材Ｂ４と、内固定部材Ｂ３に装着される内装着部材Ｂ５と、内固定部材Ｂ３と内ケース部材Ｂ４との間に弾装されるばねＳとからなっている。
【００１６】
外ケース部材Ｂ１は、ケースＢ内に繰り出し容器Ａを収納した時に、下端が繰り出し容器Ａの回転基部２の外周のほとんどを覆う長さに形成された筒壁５と、筒壁５の上端内周に連設されるリング状の係止上壁６とからなっている。
【００１７】
押出部材Ｂ２は、図２、３に示すように、頂壁７と、頂壁７の外縁に垂設され、外周が外ケース部材Ｂ１の係止上壁６に挿入される上筒壁８と、上筒壁８外周下端に連設される係止上壁９と、係止上壁９の外縁下端に垂設される下筒壁１０と、頂壁７下面の所定の位置に垂設される係合内筒１１とからなり、下筒壁１０の下端には、所定の位置に回転防止板１２が配設されている。
【００１８】
係止上壁９は、外ケース部材Ｂ１の係止上壁６の下面に当接し、押出部材Ｂ２が外ケース部材Ｂ１の内方より抜け落ちることを防止するように形成されている。
【００１９】
係合内筒１１の外周下部には、図３、６に示すように、左側から右側に上昇する傾斜面１３ａを形成するカム部１３が複数配設されている。
【００２０】
内固定部材Ｂ３は、図２、４に示すように、リング状の基部１４と、基部１４の外周縁上部から延び、上端が外ケース部材Ｂ１の係止上壁６の下面に当接する係合筒１５とからなり、外ケース部材Ｂ１の筒壁５の内周上部に、基部１４および係合筒１５の外周が嵌合するようになっている。
【００２１】
基部１４の所定の位置には、下端から上壁部１４ａを残して凹設され、ばねＳを挿入するばね受部１６と、ばね受部１６より外方に上端から凹設され、押出部材Ｂ２の回転防止板１２を挿入する回転防止受部１７が配設されている。
【００２２】
上壁部１４ａの内側には、上端からばね受部１６に連通する係合穴１８が複数配設されている。
【００２３】
基部１４の内周の所定の位置には、図４、６に示すように、上端より底壁部１４ｂを残して凹設される縦溝１９が配設され、基部１４の内縁上面には、縦溝１９の左側に突起２０が突設されている。
【００２４】
内ケース部材Ｂ４は、図２、５に示すように、頂壁２１と、頂壁２１外縁下面に垂設され、内周が、繰り出し容器Ａの保持筒１外周と係合するとともに、下端が回転基部２の上面に当接し、繰り出し容器Ａを脱着自在に保持する保持筒２２と、頂壁２１の上面に立設され、外周が内固定部材Ｂ３の基部１４の内周に挿入される係合筒２３とからなっている。
【００２５】
係合筒２３の外周上部には、縦溝１９内を上下動する係合突部２４が配設されている。
【００２６】
係合筒２３の上端には、図５、６に示すように、押出部材Ｂ２の係合内筒１１のカム部１３の傾斜面１３ａと係合する傾斜面２５ａを形成した突部２５が複数配設されている。
【００２７】
内装着部材Ｂ５は、図２に示すように、内縁が内固定部材Ｂ３の基部１４の内周面と同径に形成されたリング状の基部２６と、基部２６の外縁下面に複数配設され、基部１４の係合穴１８に挿入され、上壁部１４ａに嵌合する係合片２７とからなっている。
【００２８】
基部２６の内周には、図６に示すように、内固定部材Ｂ３の基部１４の縦溝１９の右端から上方に延びる右側面の上端から左側に上昇する傾斜面２８ａと、傾斜面２８ａの左端から左側にほぼ内ケース部材Ｂ４の係合突部２４の径だけ延びる上面２８ｂと、左側面２８ｃとを形成して凹設された横溝２８が配設されている。
【００２９】
ばねＳは、一方が内固定部材Ｂ３の基部１４のばね受部１６内に装着され、ケースＢ組立時に、他方が内ケース部材Ｂ４の頂壁２１上面を弾撥するようになっている。
【００３０】
次に、本発明の化粧品用容器の作用効果について説明する。
図１に示すように、ケースＢを組立て、ケースＢ内に繰り出し容器Ａを収納した際には、図６（ａ）に示すように、押出部材Ｂ２の係合内筒１１のカム部１３の傾斜面１３ａと、内ケース部材Ｂ４の係合筒２３の突部２５の傾斜面２５ａとが当接するとともに、係合筒２３の係合突部２４が、内装着部材Ｂ５の横溝２８内の左側面２８ｃ側に位置するようになっている。
また、ばねＳによる内固定部材Ｂ３と内ケース部材Ｂ４との反撥力により、係合突部２４は、内固定部材Ｂ３の基部１４の上面に圧接されるように係合し、内ケース部材Ｂ４が位置決めされている。
【００３１】
繰り出し容器ＡをケースＢ内から取り出す際には、まず、ケースＢを保持し、押出部材Ｂ２を押す。
押出部材Ｂ２を押すと、押出部材Ｂ２は、回転防止板１２と内固定部材Ｂ３の回転防止受部１７との係合により、回転を防止て下降していく。
【００３２】
押出部材Ｂ２が下降していくと、図６（ｂ）に示すように、係合内筒１１のカム部１３の傾斜面１３ａが内ケース部材Ｂ４の係合筒２３の突部２５の傾斜面２５ａと係合することによって、内ケース部材Ｂ４が廻動させられる。
【００３３】
さらに、内ケース部材Ｂ４が廻動すると、係合突部２４が、内装着部材Ｂ５の横溝２８内で廻動し、内固定部材Ｂ３の突起２０を乗り越え、縦溝１９上に位置する。
係合突部２４が縦溝１９上に位置すると、内固定部材Ｂ３の基部１４の上面との係合が外され、ばねＳによる内固定部材Ｂ３と内ケース部材Ｂ４との反撥力により、係合突部２４が縦溝１９内で下降するとともに、内ケース部材Ｂ４が下方に押し出される。
【００３４】
内ケース部材Ｂ４が下降すると、図６（ｃ）に示すように、係合筒部２４が縦溝１９の下端に当接し、内ケース部材Ｂ４の下降が止められる。
その後、図７に示すように、外ケース部材Ｂ１の筒壁５下端より突出する内ケース部材Ｂ４内に保持されて下降した繰り出し容器Ａの回転基部２の下部側周を、手指で引張ると、繰り出し容器ＡをケースＢから簡単に外すことができる。
【００３５】
繰り出し容器ＡをケースＢ内に収納する際には、まず、繰り出し容器Ａを外ケース部材Ｂ１の筒壁５下端の開口より挿入し、内ケース部材Ｂ４の保持筒２２と係合させる。
【００３６】
次に、繰り出し容器ＡをケースＢ内に押し込むと、内ケース部材Ｂ４が押し上げられ、内固定部材Ｂ３に対して上昇する。
そして、図８（ａ）に示すように、内ケース部材Ｂ４の係合筒２３の突部２５の傾斜面２５ａが、押出部材Ｂ２の係合内筒１１のカム部１３の傾斜面１３ａと当接するとともに、係合筒２３の係合突部２４が、内装着部材Ｂ５の横溝２８の傾斜面２８ａの右側面側に当接する。
【００３７】
さらに、押し込むと、内装着部材Ｂ５の傾斜面２８ａの傾斜により、摺動する係合突部２４が廻動しながら上昇し、内ケース部材Ｂ４が廻動しながら上昇し、係合筒２３の突部２５の傾斜面２５ａが、係合内筒１１のカム部１３の傾斜面１３ａを摺動しながら押出部材Ｂ２を押上げる。
そして、図８（ｂ）に示すように、係合突部２４が横溝２８の左側面２８ｃに当接すると、内ケース部材Ｂ４の廻動および上昇が止められ、繰り出し容器Ａの押し込みが止められる。
【００３８】
繰り出し容器Ａの押し込みを止められると、ばねＳによる内固定部材Ｂ３と内ケース部材Ｂ４との反撥力により、内ケース部材Ｂ４および繰り出し容器Ａを僅かに下降させるとともに、図６（ａ）に示すように、係合突部２４を、内固定部材Ｂ３の基部１４の上面に圧接されるように係合させ、内ケース部材Ｂ４および繰り出し容器Ａが位置決めされる。
【００３９】
その後は、図１に示すように、外ケース部材Ｂ１の筒壁５が繰り出し容器Ａの回転基部２の外周のほとんどを覆うので、繰り出し容器ＡをケースＢから取り出されることを防止して収納することができる。
【００４０】
本実施形態のケースは、繰り出し容器をケースに収納している時に、押出部材の一部が突出しているので、ケースの上下がわかりやすく、操作を間違えることがなくなった。
【００４１】
上記実施形態のケースでは、押出部材Ｂ２の頂壁７および上筒壁８の一部が、外ケース部材Ｂ１の上方から突出するように形成しているが、頂壁７を外ケース部材Ｂの係止上壁９の上面より突出しないように外ケース部材Ｂ１を形成してもよい。
その際は、繰り出し容器をケースに収納している時に、ケースを落としてしまい、押出部材Ｂ２が床などに当接し、押され、繰り出し容器の後方が突出してしまうことを防止することができる。
【産業上の利用可能性】
【００４２】
本発明は、化粧品用容器において、棒状の内容物の繰り出し容器と、繰り出し容器の開口および側周を覆うケースとからなる化粧品用容器において、簡単、かつ、わかりやすく、ケースから繰り出し容器の外周後方を突出させ、該突出部をつまんで引張り繰り出し容器を外すようにでき、かつ、使用者の意に反して繰り出し容器がケースから外れることがないようにすることができるので、繰り出し容器の他に、棒状の化粧用用品の容器として、広く利用することができる。
【符号の説明】
【００４３】
Ａ          繰り出し容器
Ｂ          ケース
Ｂ１        外ケース部材
Ｂ２        押出部材
Ｂ３        内固定部材
Ｂ４        内ケース部材
Ｂ５        内装着部材
Ｓ          ばね
１、２２    保持筒
２          回転基部
５          筒壁
６          係止上壁
７、２１    頂壁
８          上筒壁
９          係止上壁
１０        下筒壁
１１        係合内筒
１２        回転防止板
１３        カム部
１３ａ、２５ａ、２８ａ  傾斜面
１４、２６  基部
１４ａ      上壁部
１４ｂ      底壁部
１５、２３  係合筒
１６        ばね受部
１７        回転防止受部
１８        係合穴
１９        縦溝
２０        突起
２４        係合突部
２５        突部
２７        係合片
２８        横溝
２８ｂ      上面
２８ｃ      左側面
【図１】
2010172594.tif 000003
【図２】
2010172594.tif 000004
【図３】
2010172594.tif 000005
【図４】
2010172594.tif 000006
【図５】
2010172594.tif 000007
【図６】
2010172594.tif 000008
【図７】
2010172594.tif 000009
【図８】
2010172594.tif 000010